(57)【要約】【課題】  多チャンネル同時受信中に電池残量が少なくなっても一律に受信停止させず、節電しながら一部の放送受信を継続する端末装置を実現する。【解決手段】  電池残量に応じて優先的に受信するチャンネルの優先順位をチャンネル登録画面で登録する。タイマインタラプト処理では、登録された優先順位の内、検出された電池残量で同時に受信可能なチャンネル数分の順位以内のチャンネルのみ受信動作させ、それ以外のチャンネルでは受信停止させる。これにより、多チャンネル同時受信中に電池残量が少なくなった場合に一律に受信停止させず、節電しながら一部の放送受信を継続させることができる。【選択図】  図５
2005311582.tif 000002
【特許請求の範囲】
【請求項１】
複数のチャンネルで同時に放送を受信する放送受信手段と、
電池残量に応じて優先的に受信するチャンネルの優先順位を設定する優先順位設定手段と、
電池残量を検出する検出手段と、
前記設定手段により設定された優先順位の内、前記検出手段により検出された電池残量で前記放送受信手段が同時に受信可能なチャンネル数分の順位以内のチャンネルのみ受信させるよう前記放送受信手段に指示する受信指示手段と
を具備することを特徴とする端末装置。
【請求項２】
複数のチャンネルで同時に放送を受信する放送受信手段と、
電池残量に応じて優先的に受信するチャンネルの優先順位を設定する優先順位設定手段と、
電池残量を検出する検出手段と、
前記検出手段により検出された電池残量で前記放送受信手段が同時に受信可能なチャンネル数を判定する判定手段と、
前記設定手段により設定された優先順位の内、前記判定手段により判定されたチャンネル数分の順位以内のチャンネルの受信動作を継続させ、その他のチャンネルの受信動作の停止を前記放送受信手段に指示する受信動作指示手段と、
前記受信動作指示手段により受信動作の停止が指示されたチャンネルの受信停止を表示する表示手段と
を具備することを特徴とする端末装置。
【請求項３】
複数のチャンネルで同時に放送を受信する放送受信処理と、
電池残量に応じて優先的に受信するチャンネルの優先順位を設定する優先順位設定処理と、
電池残量を検出する検出処理と、
前記設定処理にて設定された優先順位の内、前記検出処理にて検出された電池残量で前記放送受信処理が同時に受信可能なチャンネル数分の順位以内のチャンネルのみ受信させるよう前記放送受信処理に指示する受信指示処理と
をコンピュータで実行させることを特徴とする端末処理プログラム。
【請求項４】
複数のチャンネルで同時に放送を受信する放送受信処理と、
電池残量に応じて優先的に受信するチャンネルの優先順位を設定する優先順位設定処理と、
電池残量を検出する検出処理と、
前記検出処理にて検出された電池残量で前記放送受信処理が同時に受信可能なチャンネル数を判定する判定処理と、
前記設定処理にて設定された優先順位の内、前記判定処理により判定されたチャンネル数分の順位以内のチャンネルの受信動作を継続させ、その他のチャンネルの受信動作の停止を前記放送受信処理に指示する受信動作指示処理と、
前記受信動作指示処理にて受信動作の停止が指示されたチャンネルの受信停止を表示する表示処理と
をコンピュータで実行させることを特徴とする端末処理プログラム。
【発明の詳細な説明】
【技術分野】
【０００１】
本発明は、放送を受信する機能を備えた端末装置および端末処理プログラムに関する。
【背景技術】
【０００２】
地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
ところで、近年では、ユーザの多様なニーズに応えるため、上記特許文献１に開示の装置のように、テレビ放送受信機能を具備するものにとどまらず、ＦＭラジオ放送、文字放送あるいは電子番組ＥＰＧを受信する複数のチューナを搭載して多チャンネル同時受信を可能するものも開発されつつある。こうした、多チャンネル同時受信が可能な端末装置では、電池の蓄電残量（以下、電池残量と記す）が少なくなると、電池消耗を抑えて電話機能を優先させるために多チャンネル同時受信を一律に停止させる構成にすることが多い。
【０００５】
しかしながら、ユーザによっては、電話機能よりも放送受信を優先させたい場合も少なからず有り、そのような場合に多チャンネル同時受信を一律に停止させる構成であると、放送受信を継続させることができない、という問題がある。
そこで本発明は、このような事情に鑑みてなされたもので、多チャンネル同時受信中に電池残量が少なくなっても一律に受信停止させず、節電しながら一部の放送受信を継続することができる端末装置および端末処理プログラムを提供することを目的としている。
【課題を解決するための手段】
【０００６】
上記目的を達成するため、請求項１に記載の発明では、複数のチャンネルで同時に放送を受信する放送受信手段と、電池残量に応じて優先的に受信するチャンネルの優先順位を設定する優先順位設定手段と、電池残量を検出する検出手段と、前記設定手段により設定された優先順位の内、前記検出手段により検出された電池残量で前記放送受信手段が同時に受信可能なチャンネル数分の順位以内のチャンネルのみ受信させるよう前記放送受信手段に指示する受信指示手段とを具備することを特徴とする。
【０００７】
請求項２に記載の発明では、複数のチャンネルで同時に放送を受信する放送受信手段と、電池残量に応じて優先的に受信するチャンネルの優先順位を設定する優先順位設定手段と、電池残量を検出する検出手段と、前記検出手段により検出された電池残量で前記放送受信手段が同時に受信可能なチャンネル数を判定する判定手段と、前記設定手段により設定された優先順位の内、前記判定手段により判定されたチャンネル数分の順位以内のチャンネルの受信動作を継続させ、その他のチャンネルの受信動作の停止を前記放送受信手段に指示する受信動作指示手段と、前記受信動作指示手段により受信動作の停止が指示されたチャンネルの受信停止を表示する表示手段とを具備することを特徴とする。
【０００８】
請求項３に記載の発明では、複数のチャンネルで同時に放送を受信する放送受信処理と、電池残量に応じて優先的に受信するチャンネルの優先順位を設定する優先順位設定処理と、電池残量を検出する検出処理と、前記設定処理にて設定された優先順位の内、前記検出処理にて検出された電池残量で前記放送受信処理が同時に受信可能なチャンネル数分の順位以内のチャンネルのみ受信させるよう前記放送受信処理に指示する受信指示処理とをコンピュータで実行させることを特徴とする。
【０００９】
請求項４に記載の発明では、複数のチャンネルで同時に放送を受信する放送受信処理と、電池残量に応じて優先的に受信するチャンネルの優先順位を設定する優先順位設定処理と、電池残量を検出する検出処理と、前記検出処理にて検出された電池残量で前記放送受信処理が同時に受信可能なチャンネル数を判定する判定処理と、前記設定処理にて設定された優先順位の内、前記判定処理により判定されたチャンネル数分の順位以内のチャンネルの受信動作を継続させ、その他のチャンネルの受信動作の停止を前記放送受信処理に指示する受信動作指示処理と、前記受信動作指示処理にて受信動作の停止が指示されたチャンネルの受信停止を表示する表示処理とをコンピュータで実行させることを特徴とする。
【発明の効果】
【００１０】
請求項１，３に記載の発明によれば、電池残量に応じて優先的に受信するチャンネルの優先順位を設定し、設定された優先順位の内、検出された電池残量で同時に受信可能なチャンネル数分の順位以内のチャンネルのみ受信させるので、多チャンネル同時受信中に電池残量が少なくなっても一律に受信停止させず、節電しながら一部の放送受信を継続することができる。
【００１１】
請求項２，４に記載の発明では、電池残量に応じて優先的に受信するチャンネルの優先順位を設定しておき、検出された電池残量で同時に受信可能なチャンネル数を判定する。そして、設定された優先順位の内、判定されたチャンネル数分の順位以内のチャンネルの受信動作を継続させ、その他のチャンネルの受信動作の停止させると共に、受信停止されたチャンネルを表示するので、多チャンネル同時受信中に電池残量が少なくなっても一律に受信停止させず、節電しながら一部の放送受信を継続することができ、しかも、受信停止されたチャンネルが一目瞭然になる。
【発明を実施するための最良の形態】
【００１２】
以下、図面を参照して本発明の実施の形態について説明する。
Ａ．構成
図１は本発明の実施の一形態である携帯電話１０の構成を示すブロック図である。携帯電話１０は、携帯電話部および放送受信部に大別される。以下では、携帯電話部および放送受信部の各構成について説明する。
【００１３】
（１）携帯電話部の構成
携帯電話部は、通信処理部１０１、制御部１０２、ＲＯＭ１０３、ＲＡＭ１０４、操作部１０５、マイク１０６、スピーカ１０７、表示部１０８、電池容量検出回路１０９から構成される。通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送出する。制御部１０２は、ＣＰＵおよびベースバンド信号処理用のＤＳＰ等から構成され、後述する操作部１０５のスイッチ操作に応じて、携帯電話部および放送受信部の動作を制御する。
【００１４】
携帯電話部の機能を担う制御部１０２は、音声信号処理および通信制御処理を実行する。音声信号処理では、通信処理部１０１が発生する通話中の音声データを音声信号にＤ／Ａ変換してスピーカ１０７から発音させたり、マイク１０６から出力される音声信号を音声データにＡ／Ｄ変換して通信処理部１０１に供給する。通信制御処理の内容については、後述するメインルーチンの動作説明で述べる。ＲＯＭ１０３は、制御部１０２により実行される音声信号処理、通信制御処理、後述するメインルーチンおよびタイマインタラプト処理の各プログラムや、各種処理に用いる制御データを記憶する。
【００１５】
ＲＡＭ１０４は、制御部１０２が実行する各種処理に使われるフラグやレジスタデータを一時記憶するワークエリアの他、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。操作部１０５は、パワーオンオフする電源スイッチ、通話開始／終了時に操作されるオフフック／オンフックスイッチ、ダイヤルスイッチと兼用の文字入力スイッチの他、カーソルスイッチ、決定スイッチ、クリアスイッチ等を備える。表示部１０８はカラー液晶パネルおよび表示ドライバから構成され、制御部１０２の制御の下に待受画面など各種画面を表示する。電池容量検出回路１０９は、電池１１０から供給される電圧をスイッチングレギュレートして表示部１０８の表示駆動電圧やその他各部の駆動電圧を発生する電源部に設けられ、電池１１０の蓄電残量に対応した検出信号を発生する。
【００１６】
（２）放送受信部の構成
放送受信部は、放送受信スイッチ操作に応じてオンオフ設定される受信部２０１、録画再生部２０２の他、携帯電話部側と共用される制御部１０２、ＲＯＭ１０３、ＲＡＭ１０４、操作部１０５、スピーカ１０７および表示部１０８から構成される。受信部２０１は、ＴＶ放送を受信復調するＴＶ受信部２０１ａ、ＦＭ放送を受信復調するＦＭ受信部２０１ｂ、文字放送を受信復調する文字放送受信部２０１ｃおよび電子番組ＥＰＧを受信復調するＥＰＧ受信部２０１ｄから構成される。録画再生部２０２は、制御部１０２の指示に応じて、受信部２０１が発生する映像／音声データを自己内蔵の記憶媒体（例えば着脱自在なメモリ）に録画したり、記憶媒体に録画した映像／音声データを記憶媒体から読み出して再生する。放送受信部の機能を担う制御部１０２は、スイッチ操作に応じて受信部２０１および録画再生部２０２の入出力を制御する。放送受信部に関する操作部１０５には、放送受信部をオンオフする放送受信スイッチ、優先的に受信するチャンネルを登録するチャンネル登録スイッチ（後述する）、チャンネル切替スイッチ、録画／再生を指定する録画再生スイッチ等が設けられる。
【００１７】
Ｂ．動作
次に、本発明の要旨に係わる動作として、制御部１０２が実行するメインルーチンおよびタイマインタラプト処理の各動作について図２〜図６を参照して説明する。
（１）メインルーチンの動作
携帯電話１０の電源スイッチが操作されてパワーオンされると、制御部１０２は図２〜図４に図示するメインルーチンを実行する。メインルーチンが実行されると、図２に図示するステップＳＡ１に処理を進め、携帯電話１０の各部を初期化するイニシャライズを実行する。次いで、ステップＳＡ２では、ＲＯＭ１０３から読み出した待ち受け画像データをＲＡＭ１０４の表示エリアにストアし、ストアされた待ち受け画像データに基づき待受画面を表示部１０８に表示する。次に、ステップＳＡ３以降では、操作部１０５に配設されるオフフックスイッチ、オンフックスイッチ、チャンネル登録スイッチおよび放送受信スイッチのオン操作にそれぞれ対応した処理を実行する。以下、各スイッチ操作に対応した処理動作を説明する。
【００１８】
ａ．オフフックスイッチがオン操作された場合
ユーザが通話を開始すべくオフフックスイッチをオン操作したとする。そうすると、ステップＳＡ３の判断結果は「ＹＥＳ」となり、ステップＳＡ４に進む。ステップＳＡ４〜ＳＡ５では、表示部１０８に表示される画面を待受画面から番号入力画面に変更し、ダイヤルスイッチの操作に応じて入力された電話番号を番号入力画面に表示しつつレジスタセットする。続いて、ステップＳＡ６〜ＳＡ７では、レジスタセットされた電話番号に基づき発信および呼出報知を実行する。呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００１９】
ｂ．オンフックスイッチがオン操作された場合
上記ステップＳＡ９の通話処理中にユーザがオンフックスイッチをオン操作したとする。そうすると、ステップＳＡ１０の判断結果が「ＹＥＳ」となり、ステップＳＡ１１に進み、回線を切る終話処理を実行した後、上述のステップＳＡ２に処理を戻して待受画面表示状態に復帰する。
【００２０】
ｃ．チャンネル登録スイッチがオン操作された場合
ユーザがチャンネル登録スイッチをオン操作すると、図３に示すステップＳＡ１２の判断結果が「ＹＥＳ」になり、ステップＳＡ１３に進む。ステップＳＡ１３では、ＲＯＭ１０３から読み出したチャンネル登録画面データに基づきチャンネル登録画面を表示部１０８に表示する。チャンネル登録画面とは、図６（ａ）に図示する一例のように、優先して受信する優先順位１〜４のチャンネルを登録設定する入力エリアＩＥ１〜ＩＥ４を備える画面である。こうしたチャンネル登録画面が表示部１０８に表示されると、制御部１０２はステップＳＡ１４に処理を進め、優先順位１の入力エリアＩＥ１に入力カーソルを表示する。
【００２１】
次いで、ステップＳＡ１５〜ＳＡ２０では、チャンネル登録画面が表示されている状態で行われるチャンネル登録操作（カーソルスイッチ操作、データ入力操作、決定スイッチ操作およびクリアスイッチ操作）に応じた処理を実行する。
すなわち、チャンネル登録操作を取り止めるべくクリアスイッチをオン操作した場合には、ステップＳＡ２０の判断結果が「ＹＥＳ」になり、前述のステップＳＡ２（図３参照）に処理を戻して待受画面表示状態に復帰する。
【００２２】
一方、入力する順位を移動させるべくカーソルスイッチをオン操作した場合には、ステップＳＡ１５の判断結果が「ＹＥＳ」になり、ステップＳＡ１６に進み、入力カーソルの位置を移動させる。そして、入力カーソルが所望の順位の入力エリアに位置している状態でデータ入力（チャンネル登録）すると、ステップＳＡ１７の判断結果が「ＹＥＳ」になり、ステップＳＡ１８に進み、入力カーソル位置に入力データを表示する。そして、データ入力後に決定スイッチをオン操作すると、ステップＳＡ１９の判断結果が「ＹＥＳ」となり、ステップＳＡ２１に進む。ステップＳＡ２１では、チャンネル登録画面の入力エリアＩＥ１〜ＩＥ４の全てにデータ入力されたか否かを判断する。
【００２３】
未入力の入力エリアがあると、判断結果は「ＮＯ」になり、ステップＳＡ２２に進み、未入力の入力エリアに入力カーソルを移動させた後、上記ステップＳＡ１５に処理を戻す。一方、例えば図６（ｂ）に図示する一例のように、チャンネル登録画面の入力エリアＩＥ１〜ＩＥ４の全てにデータ入力されていれば、上記ステップＳＡ２１の判断結果は「ＹＥＳ」になり、ステップＳＡ２３に進み、優先順位を登録した後、前述のステップＳＡ２（図３参照）に処理を戻して待受画面表示状態に復帰する。
なお、本実施形態では、チャンネル登録画面の入力エリアＩＥ１〜ＩＥ４に局名や放送名を入力する態様としたが、これに替えて、例えば受信可能なチャンネル一覧表から選択したチャンネル番号を入力エリアＩＥ１〜ＩＥ４に登録する態様としても構わない。
【００２４】
ｄ．放送受信スイッチがオン操作された場合
ユーザが放送受信スイッチをオン操作すると、図４に示すステップＳＡ２４の判断結果が「ＹＥＳ」になり、ステップＳＡ２５に進み、チャンネルレジスタＣＨに初期値（チャンネル番号）をストアする。次いで、ステップＳＡ２６では、チャンネルレジスタＣＨにストアされるチャンネル番号のチャンネルで放送受信されているか否かを判断する。放送受信されていれば、判断結果は「ＹＥＳ」になり、ステップＳＡ２７に進み、受信部２０１が出力する受信出力の内、チャンネルレジスタＣＨにストアされるチャンネル番号の受信内容を表示部１０８およびスピーカ１０７に出力する。
一方、チャンネルレジスタＣＨにストアされるチャンネル番号のチャンネルで放送受信されていない場合には、上記ステップＳＡ２６の判断結果が「ＮＯ」となり、ステップＳＡ２８に進み、受信停止されている旨の警告を表示部１０８に表示する。
【００２５】
続いて、ステップＳＡ２９〜ＳＡ３０では、チャンネル切替操作および放送受信スイッチのオフ操作の有無を判断する。チャンネル切替操作が行われた場合には、ステップＳＡ２９の判断結果が「ＹＥＳ」になり、ステップＳＡ３１に進み、チャンネル切替操作に応じて変更されたチャンネル番号をチャンネルレジスタＣＨにストアした後、上述のステップＳＡ２６に処理を戻す。放送受信スイッチがオフ操作された場合には、ステップＳＡ３０の判断結果が「ＹＥＳ」になり、前述のステップＳＡ２（図３参照）に処理を戻して待受画面表示状態に復帰する。
【００２６】
（２）タイマインタラプト処理の動作
次に、図５を参照してタイマインタラプト処理の動作を説明する。制御部１０２は、前述したメインルーチンを実行中に、所定周期毎に本処理を割込み実行する。本処理が割込み実行されると、制御部１０２は図５に示すステップＳＢ１に処理を進め、電池容量検出回路１０９が出力する検出信号から電池１１０の電池残量（電池の蓄電残量）を検出する。次いで、ステップＳＢ２では、検出した電池残量に基づき受信可能レベルを決定する。すなわち、受信部２０１が同時受信できるチャンネルの数を電池残量から推測し、そのチャンネルの数が前述のチャンネル登録された優先順位（受信可能レベル）のいずれに対応するのかを決定する。
【００２７】
例えば、検出した電池残量で受信部２０１が同時に受信できるチャンネルの数が「１」であると、図６（ｂ）に図示する一例の優先順位の場合には、優先順位１位の「○△テレビ」のみが受信可能になる。なお、検出した電池残量に基づき受信可能レベルを決定する手法としては、例えば電池残量と受信部２０１の同時受信可能チャンネル数とを対応付けたテーブルを備え、検出した電池残量に応じて、当該テーブルから同時受信可能チャンネル数を読み出す方式などがある。
【００２８】
このようにして、検出した電池残量から受信可能レベルが決定されると、制御部１０２はステップＳＢ３に進み、チャンネルレジスタＣＨに初期値（チャンネル番号）をストアする。続いて、ステップＳＢ４では、チャンネルレジスタＣＨに格納されるチャンネル番号のチャンネルの受信内容を特定する。そして、ステップＳＢ５では、特定した受信内容が、前述のチャンネル登録された優先順位（受信可能レベル）のいずれに該当するのかを特定する。次いで、ステップＳＢ６では、特定した受信内容が優先順位（受信可能レベル）にあるかどうかを判断する。特定した受信内容が優先順位（受信可能レベル）に無ければ、判断結果は「ＹＥＳ」になり、ステップＳＢ７に進み、チャンネルレジスタＣＨに格納されるチャンネル番号のチャンネルについて受信動作停止（パワーオフ）を受信部２０１に指示した後、ステップＳＢ８に進む。なお、ステップＳＢ７において受信動作停止を受信部２０１に指示すると、前述したメインルーチンのステップＳＡ２８（図４参照）において、受信停止の警告表示が行われる。
【００２９】
一方、特定した受信内容が優先順位（受信可能レベル）に有ると、上記ステップＳＢ６の判断結果は「ＮＯ」となり、ステップＳＢ８に進む。ステップＳＢ８では、チャンネルレジスタＣＨに格納されるチャンネル番号をインクリメントして歩進させ、続くステップＳＢ９では、歩進されたチャンネル番号が受信チャンネルの数を超えたか、つまりチャンネルスキャンが完了したか否かを判断する。チャンネルスキャンが完了していなければ、判断結果は「ＮＯ」になり、上述のステップＳＢ４に処理を戻す。以後、歩進されたチャンネル番号の受信内容を特定し、特定した受信内容が優先順位（受信可能レベル）にあるかどうかを判断するチャンネルスキャンを継続する。そして、チャンネルスキャンが完了すると、ステップＳＢ９の判断結果が「ＹＥＳ」になり、本処理を完了させて前述のメインルーチンに復帰する。
【００３０】
以上のように、本実施形態では、電池残量に応じて優先的に受信するチャンネルの優先順位を予め設定しておき、その優先順位の内、検出された電池残量で同時に受信可能なチャンネル数分の順位以内のチャンネルのみ受信動作させるので、多チャンネル同時受信中に電池残量が少なくなった場合に一律に受信停止させず、節電しながら一部の放送受信を継続することができる。これにより、例えばＴＶ放送を受信録画しながら、ＦＭ放送や電子番組ＥＰＧを受信する多チャンネル同時受信中に電池残量が少なくなり、１チャンネルだけ受信可能な状態になると、図６（ｂ）に図示する一例の場合には、ＴＶ放送の受信録画だけを継続させることができる。
【００３１】
なお、上述した実施の形態では、検出された電池残量で同時に受信可能なチャンネル数分の順位以内のチャンネルのみ受信動作させるようにしたが、これに限らず、多チャンネル同時受信した複数の番組を同時に記録（録画）する場合に、検出された電池残量で同時に記録可能なチャンネル数分の順位以内のチャンネルのみ受信記録動作させることも可能である。
【図面の簡単な説明】
【００３２】
【図１】本発明の実施の一形態による携帯電話１０の全体構成を示すブロック図である。
【図２】メインルーチンの動作を示すフローチャートである。
【図３】メインルーチンの動作を示すフローチャートである。
【図４】メインルーチンの動作を示すフローチャートである。
【図５】タイマインタラプト処理の動作を示すフローチャートである。
【図６】チャンネル登録画面の構成および登録例を示す図である。
【符号の説明】
【００３３】
１０  携帯電話
１０１  通信処理部
１０２  制御部
１０３  ＲＯＭ
１０４  ＲＡＭ
１０５  操作部
１０６  マイク
１０７  スピーカ
１０８  表示部
１０９  電池容量検出回路
１１０  電池
２０１  受信部
２０２  録画再生部
【図１】
2005311582.tif 000003
【図２】
2005311582.tif 000004
【図３】
2005311582.tif 000005
【図４】
2005311582.tif 000006
【図５】
2005311582.tif 000007
【図６】
2005311582.tif 000008